(57)【要約】【課題】トラバースシャーシの昇降動作を安定させる構造を有した光ディスク装置を提供することである。【解決手段】光ディスク装置は、光ピックアップと、第１ラック２７と、第１ラック２７に形成された凸部２７ａと、を有する光ピックアップユニット４と、光ピックアップユニット４を搭載するトラバースシャーシ２４と、第２ラック２２ａと、凸部２７ａを案内する溝部２２ｃ及び傾斜部２２ｄと、を有し、トラバースシャーシ２４をチャッキング位置とアンチャッキング位置との間で揺動させるカムスライダー２２と、駆動モーターの駆動力を第１及び第２ラック２７、２２ａに伝達する駆動力伝達歯車機構２３と、を備え、トラバースシャーシ２４の揺動に合わせて、凸部２７ａが傾斜部２２ｄに案内される構成とする。【選択図】図２
2014191843.tif 000002
【特許請求の範囲】
【請求項１】
光ピックアップと、第１ラックと、第１ラックに形成された凸部と、を有する光ピックアップユニットと、
前記光ピックアップユニットを搭載するトラバースシャーシと、
第２ラックと、前記凸部を案内する溝部及び傾斜部と、を有し、前記トラバースシャーシをチャッキング位置とアンチャッキング位置との間で揺動させるカムスライダーと、
駆動モーターの駆動力を前記第１及び第２ラックに伝達する駆動力伝達歯車機構と、を備え、
前記トラバースシャーシの揺動に合わせて、前記凸部が前記傾斜部に案内されることを特徴とする光ディスク装置。
【請求項２】
前記凸部が前記溝部に係合した後、前記トラバースシャーシの下降に合わせて前記凸部が前記傾斜部に案内されて下降することを特徴とする請求項１記載の光ディスク装置。
【請求項３】
前記トラバースシャーシの上昇に合わせて前記凸部が前記傾斜部に案内されて上昇した後、前記凸部が前記溝部に係合することを特徴とする請求項１又は２記載の光ディスク装置。
【請求項４】
前記トラバースシャーシがチャッキング位置にある状態で、前記駆動モーターの駆動力によって前記第１ラックが移動することにより前記凸部が前記溝部に係合し、
前記凸部が前記溝部に案内されることで前記カムスライダーの移動を開始させるとともに、前記第１ラックが前記駆動力伝達歯車機構から外れ、
前記カムスライダーの移動開始により前記第２ラックが前記駆動力伝達歯車機構に噛合し、前記カムスライダーに駆動力が伝達されて前記カムスライダーの移動が継続されることで前記トラバースシャーシが下降するとともに、前記凸部が前記傾斜部に案内されて下降することを特徴とする請求項１〜３の何れかに記載の光ディスク装置。
【請求項５】
前記トラバースシャーシがアンチャッキング位置にある状態で、前記駆動モーターの駆動力によって前記カムスライダーが移動することにより、前記トラバースシャーシが上昇するとともに、前記凸部が前記傾斜部に案内されて上昇し、
前記凸部が前記溝部に係合して案内されることで、前記第２ラックが前記駆動力伝達歯車機構から外れるとともに、前記駆動力伝達歯車機構が前記第１ラックに噛合することを特徴とする請求項１〜４の何れかに記載の光ディスク装置。
【請求項６】
前記カムスライダーは前記トラバースシャーシを案内するカム溝を有し、
前記カム溝の斜めの溝と前記傾斜部とが平行であることを特徴とする請求項１〜５の何れかに記載の光ディスク装置。
【請求項７】
前記カム溝の斜めの溝の長さと前記傾斜部の長さとが等しいことを特徴とする請求項６記載の光ディスク装置。
【請求項８】
前記凸部は、前記第１ラックの前記カムスライダー側先端部分から前記トラバースシャーシの下降方向へ突出していることを特徴とする請求項１〜７の何れかに記載の光ディスク装置。
【請求項９】
前記傾斜部の前記凸部に接する部分が突条であることを特徴とする請求項１〜８の何れかに記載の光ディスク装置。
【発明の詳細な説明】
【技術分野】
【０００１】
本発明は、ＢＤ（Blu-ray Disc（登録商標））、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、光ディスクが載置されるトレイと、光ピックアップ及びターンテーブルが搭載されたトラバースシャーシと、トラバースシャーシを上下に揺動させるカムスライダーと、駆動モーターと、駆動モーターの駆動力を光ピックアップのラック、トレイのラック、カムスライダーのラックに伝達するギアとを有する光ディスク装置がある。
【０００３】
この光ディスク装置におけるトレイを排出する際の動作について以下説明する。トレイが収納位置にあり、ターンテーブルに光ディスクがチャッキングされているときに、駆動モーターからの駆動力がギアを介して光ピックアップのラックに伝達されると、光ピックアップはトレイの開口内を光ディスクの径方向に移動することでトレイに干渉することなく所定の位置まで移動する。
【０００４】
その後、光ピックアップのラックの先端付近から上方へ突出したボスがカムスライダーの上部に形成された溝に嵌まってカムスライダーを押し動かすことで、カムスライダーのラックが駆動モーターの駆動力を伝達するギアに噛合する。ここで光ピックアップのラックがギアから外れる。そして、駆動モーターからの駆動力がギアを介してカムスライダーのラックに伝達されると、トラバースシャーシは下降する。トラバースシャーシの下降によって光ディスクがアンチャッキングされると、駆動モーターの駆動力はトレイのラックにも伝達され、トレイは排出位置に向かって移動し、排出位置で停止する。
【０００５】
このように、光ピックアップのラックのボスがカムスライダーの溝を移動しながらカムスライダーを押し動かした後、光ピックアップのラックがギアから外れ、トラバースシャーシの下降に伴ってボスが溝から外れる。ここで、ボスが溝から外れるときに、光ピックアップのラックはカムスライダーからトラバースシャーシへ受け渡されることになるので、トラバースシャーシの下降動作が不安定になる。また、トラバースシャーシが上昇する際も逆の受け渡しがあるので、同様にトラバースシャーシの上昇動作が不安定になる。
【０００６】
ところで、特許文献１の光ディスク装置は、トリガープレートに誤動作防止壁を形成して、スライドラックの誤動作を防止してトラバースの動作を安定させている。
【先行技術文献】
【特許文献】
【０００７】
【特許文献１】特開２００４−２５３１３０号公報
【発明の概要】
【発明が解決しようとする課題】
【０００８】
しかしながら、トラバースシャーシの昇降動作は、トラバースシャーシの昇降途中に光ピックアップのラックがカムスライダーとトラバースシャーシとの間で受け渡される構造である限り、不安定さが軽減されることはあっても完全に安定しているとは言えない。そして、このような構造を根本的に変更した技術は提案されておらず、よって上記の問題も解決されていなかった。
【０００９】
本発明は、トラバースシャーシの昇降動作を安定させる構造を有した光ディスク装置を提供することを目的とする。
【課題を解決するための手段】
【００１０】
上記目的を達成するために本発明の光ディスク装置は、光ピックアップと、第１ラックと、第１ラックに形成された凸部と、を有する光ピックアップユニットと、前記光ピックアップユニットを搭載するトラバースシャーシと、第２ラックと、前記凸部を案内する溝部及び傾斜部と、を有し、前記トラバースシャーシをチャッキング位置とアンチャッキング位置との間で揺動させるカムスライダーと、駆動モーターの駆動力を前記第１及び第２ラックに伝達する駆動力伝達歯車機構と、を備え、前記トラバースシャーシの揺動に合わせて、前記凸部が前記傾斜部に案内されることを特徴とする。
【００１１】
この構成によると、トラバースシャーシの昇降途中にはずっと光ピックアップの第１ラックがカムスライダーの傾斜部上にある構造となっている。したがって、トラバースシャーシの昇降動作が安定する。
【００１２】
上記の光ディスク装置において、具体的には、前記凸部が前記溝部に係合した後、前記トラバースシャーシの下降に合わせて前記凸部が前記傾斜部に案内されて下降する構成とすることができる。
【００１３】
この構成によると、カムスライダーの一部である溝部から傾斜部へ凸部が案内されるので、トラバースシャーシの下降動作が安定する。
【００１４】
上記の光ディスク装置において、具体的には、前記トラバースシャーシの上昇に合わせて前記凸部が前記傾斜部に案内されて上昇した後、前記凸部が前記溝部に係合する構成とすることができる。
【００１５】
この構成によると、カムスライダーの一部である傾斜部から溝部へ凸部が案内されるので、トラバースシャーシの上昇動作が安定する。
【００１６】
上記の光ディスク装置において、具体的には、前記トラバースシャーシがチャッキング位置にある状態で、前記駆動モーターの駆動力によって前記第１ラックが移動することにより前記凸部が前記溝部に係合し、前記凸部が前記溝部に案内されることで前記カムスライダーの移動を開始させるとともに、前記第１ラックが前記駆動力伝達歯車機構から外れ、前記カムスライダーの移動開始により前記第２ラックが前記駆動力伝達歯車機構に噛合し、前記カムスライダーに駆動力が伝達されて前記カムスライダーの移動が継続されることで前記トラバースシャーシが下降するとともに、前記凸部が前記傾斜部に案内されて下降する構成とすることができる。
【００１７】
この構成によると、カムスライダーの一部である溝部から傾斜部へ凸部が案内されるので、トラバースシャーシの下降動作が安定する。
【００１８】
上記の光ディスク装置において、具体的には、前記トラバースシャーシがアンチャッキング位置にある状態で、前記駆動モーターの駆動力によって前記カムスライダーが移動することにより、前記トラバースシャーシが上昇するとともに、前記凸部が前記傾斜部に案内されて上昇し、前記凸部が前記溝部に係合して案内されることで、前記第２ラックが前記駆動力伝達歯車機構から外れるとともに、前記駆動力伝達歯車機構が前記第１ラックに噛合する構成とすることができる。
【００１９】
この構成によると、カムスライダーの一部である傾斜部から溝部へ凸部が案内されるので、トラバースシャーシの上昇動作が安定する。
【００２０】
上記の光ディスク装置において、例えば、前記カムスライダーは前記トラバースシャーシを案内するカム溝を有し、前記カム溝の斜めの溝と前記傾斜部とが平行であることが好ましい。さらに、前記カム溝の斜めの溝の長さと前記傾斜部の長さとが等しいことが好ましい。
【００２１】
この構成によると、トラバースシャーシの揺動に一致して、凸部が傾斜部に案内されるので、トラバースシャーシの昇降動作が安定する。
【００２２】
上記の光ディスク装置において、例えば、前記凸部は、前記第１ラックの前記カムスライダー側先端部分から前記トラバースシャーシの下降方向へ突出していることが好ましい。
【００２３】
この構成によると、溝部がカムスライダーの他の上面と面一形成することができるので、カムスライダーを薄型化でき、光ディスク装置の薄型化に繋がる。
【００２４】
上記の光ディスク装置において、例えば、前記傾斜部の前記凸部に接する部分が突条であることが好ましい。
【００２５】
この構成によると、凸部が傾斜部に引っ掛かる形状となり、凸部が確実に傾斜部に係合する。
【図面の簡単な説明】
【００２６】
【図１】本発明の一実施形態の光ディスク装置の外観斜視図である。
【図２】本発明の一実施形態の光ディスク装置におけるチャッキング状態のドライブ装置の要部構成の斜視図である。
【図３】図２のドライブ装置の要部構成の平面図である。
【図４】図２からカムスライダーを抜粋した図である。
【図５】図４のカムスライダーの背面側の斜視図である。
【図６】図４のカムスライダーの平面図である。
【図７】図４のカムスライダーの正面図である。
【図８】図４のカムスライダーの背面図である。
【図９】第１ラックの移動途中のドライブ装置の要部構成の斜視図である。
【図１０】第１ラックの移動途中のドライブ装置の要部構成の斜視図である。
【図１１】第１ラックの移動途中のドライブ装置の要部構成の斜視図である。
【図１２】第１ラックの移動途中のドライブ装置の要部構成の斜視図である。
【発明を実施するための形態】
【００２７】
以下、光ディスク装置を横置き（水平姿勢）に設置した状態、すなわち光ディスクのレーベル面が上向きで水平に収納、排出される状態を基準に説明する。光ディスクが排出される側を前側、前側に対面して右手を右側、前側に対面して左手を左側と定義する。また、光ディスクが排出・収納される方向を前後方向、光ディスクのレーベル面と平行で前後方向に直交する方向を左右方向、前後方向及び左右方向に直交する方向を上下方向と定義する。
【００２８】
図１は、本発明の一実施形態の光ディスク装置の外観斜視図である。光ディスク装置１０は、前面カバー１１と、外装カバー１２と、前面カバー１１及び外装カバー１２によって前側、右側、左側及び上側が覆われるボトムシャーシ（不図示）とを備えている。
【００２９】
前面カバー１１は、外装カバー１２及びボトムシャーシの前側に取り付けられ、各種ユーザーインターフェースを有している。例えば、前面カバー１１には、光ディスク搬送用のトレイ１３、トレイ１３を開閉させる開閉ボタン１４、外部機器接続用の端子群１５、表示部としての表示管１６、光ディスクを再生させる再生ボタン等からなる操作部１７、電源ボタン１８などが配設されている。
【００３０】
外装カバー１２は、ボトムシャーシの上側、右側及び左側を覆うコ字型の部材であり、ボトムシャーシにビス等で固定される。ボトムシャーシは、光ディスク装置１０の各種部材を搭載する。搭載する部材は、光ディスク装置１０の各部を制御する制御部、後述するドライブ装置などである。
【００３１】
図２は光ディスク装置１におけるチャッキング状態のドライブ装置の要部構成の斜視図、図３はその平面図である。図４は図２からカムスライダーを抜粋した図、図５はそのカムスライダーの背面側の斜視図、図６はその平面図、図７はその正面図、図８はその背面図である。
【００３２】
ドライブ装置２０は、ドライブ装置２０の各部材を収容するローダーシャーシ（不図示）と、光ディスクを載置して搬送するトレイ（不図示）と、光ディスクの搬送方向（前後方向）に略垂直な方向（上下方向）に揺動（旋回）して昇降可能なトラバースアッシー２１と、左右方向に移動してトラバースアッシー２１を昇降（上下動）させるカムスライダー２２と、駆動モーター（不図示）と、駆動モーターの駆動力をトレイ、ＯＰＵ（光ピックアップユニット）、カムスライダー２２にそれぞれ伝達する駆動力伝達歯車機構２３と、光ディスクをレーベル面側からチャッキングするクランパー（不図示）と、を備えている。
【００３３】
ローダーシャーシは、平面視略四角形の筐体であり、例えば樹脂の一体成形品である。ローダーシャーシは、その中央付近から後端にかけてトラバースアッシー２１を収容している。また、ローダーシャーシは、前部（トラバースアッシー２１の前側）にカムスライダー２２を収容している。
【００３４】
トレイは、第３ラック（不図示）を有し、排出位置と収納位置の間を移動するものである。第３ラックは、例えば、ラック部がトレイの下面右側部に沿って内向きに形成され、駆動力伝達歯車機構２３の１つのギアに噛合している。これにより、駆動モーターの駆動によってトレイが前後方向に移動する。
【００３５】
トラバースアッシー２１は、トラバースシャーシ２４と、ＯＰＵと、トラバースシャーシ２４に固定され、ＯＰＵを光ディスクの径方向（前後方向）に移動可能に支持するガイドシャフト２５と、トラバースシャーシ２４に固定された光ディスク回転用のスピンドルモーター２と、スピンドルモーター２の回転軸に挿嵌されたターンテーブル２６と、右部（トラバースアッシー２１の右側）に収容された駆動力伝達歯車機構２３と、駆動力伝達歯車機構２３を駆動する駆動モーター（不図示）とを備えている。また、ＯＰＵは、光ピックアップと、第１ラック２７とを有する。
【００３６】
カムスライダー２２は、第２ラック２２ａと、カム溝２２ｂと、凸部２７ａを案内する溝部２２ｃ、傾斜部２２ｄ及び水平部２２ｅと、押さえ部２２ｆとを有し、左右方向に移動可能にローダーシャーシに取り付けられている。第２ラック２２ａはカムスライダー２２の上面右部にあり、後面に沿って左右方向にラック部が形成され、ラック部が駆動力伝達歯車機構２３の１つのギア２３４に噛合可能となっている。カム溝２２ｂは、正面視で水平に延びた高さの異なる２本の溝２２ｂ1、２２ｂ2とそれらを繋ぐ斜めの溝２２ｂ3とで構成され、トラバースシャーシ２４のボス２４ａに係合している。
【００３７】
溝部２２ｃは、カムスライダー２２の上面側の水平面内に形成された湾曲した溝である。溝部２２ｃの一端はカムスライダー２２から離れた状態の第１ラック２７の凸部２７ａに対向し、他端は傾斜部２２ｄの上端の前側に位置し、一端と他端とは略９０°に配置されている。また、凸部２７ａを確実に溝部２２ｃへ案内するように、溝部２２ｃの一方の壁面は他方の壁面よりも長く後方へ延出している。
【００３８】
傾斜部２２ｄは、その上端が溝部２２ｃの他端の後側に位置し、その下端が第２ラック２２ａの後方下部に位置している。下端は水平部２２ｅに繋がっている。そして、傾斜部２２ｄはカム溝２２ｂの斜めの溝２２ｂ3と平行で長さも等しい。換言すれば、カム溝２２ｂの斜めの溝２２ｂ3の傾斜角と傾斜部２２ｄの傾斜角とが等しく、その長さも等しいとも言える。なお、傾斜部２２ｄの傾斜角がカム溝２２ｂの斜めの溝２２ｂ3の傾斜角より若干大きくても構わない。また、傾斜部２２ｄはカム溝２２ｂの斜めの溝２２ｂ3より若干短くてもよい。
【００３９】
また、傾斜部２２ｄの凸部２７ａに接する部分、つまり傾斜部２２ｄの前側面２２ｄ1がその下の側面から突出した突条となっている。これにより、凸部２７ａが前側面２２ｄ1に引っ掛かる形状となり、凸部２７ａが確実に前側面２２ｄ1に係合する。なお、前側面２２ｄ1が突条でなく平坦な場合でも問題はないが、カムスライダー２２及び第１ラック２７を金型で樹脂の一体成型により形成した場合、樹脂のヒケにより部材の先端にいくほど細くなるので、凸部２７ａと傾斜部２２ｄとの係合が若干甘くなる。
【００４０】
水平部２２ｅは光ディスク装置を横置き（水平姿勢）に設置した状態で水平であり、溝２２ｂ2と平行である。水平部２２ｅの凸部２７ａに接する部分、つまり水平部２２ｅの前側面２２ｅ1も傾斜部２２ｄの前側面２２ｄ1と同様に突条となっている。
【００４１】
押さえ部２２ｆは、水平部２２ｅから後方へ突出した突起である。押さえ部２２ｆはトラバースアッシー２１が下降した状態でトラバースシャーシ２４と第１ラック２７との間に入り、カムスライダー２２の上下動を抑える役割がある。
【００４２】
このような構成により、カムスライダー２２の第２ラック２２ａが駆動力伝達歯車機構２３のギア２３４に噛合すると、駆動モーターの駆動によってカムスライダー２２が左右方向に移動し、カム溝２２ｂに沿ってボス２４ａが移動する。ボス２４ａは上下に移動することになるので、つまりトラバースアッシー２１が上下動することになる。カムスライダー２２は、トレイを駆動するのと同じ駆動モーターによって駆動されるので、トレイの動作に連動してトラバースアッシー２１をチャッキング位置とアンチャッキング位置との間で揺動させる。なお、溝部２２ｃ、傾斜部２２ｄ及び水平部２２ｅの作用については、関係する凸部２７ａの構成を説明した後で説明する。
【００４３】
駆動力伝達歯車機構２３は、複数のギア２３１〜２３４が順に噛合して構成される。そして、ギア２３１が駆動モーターの軸に固定されたウォームギアに噛合して駆動される。また、ギア２３１は第１ラック２７に、ギア２３３は第３ラックに、ギア２３４は第２ラック２２ａにそれぞれ噛合する。よって、１つの駆動モーターでトレイ、トラバースアッシー２１、ＯＰＵを駆動することができ、すなわち、光ディスクの搬送、チャッキング、アンチャッキング、光ピックアップの移動を行うことができる。
【００４４】
トラバースシャーシ２４は、例えば板金部材であり、その後端がローダーシャーシに枢支され、その前端から突出したボス２４ａがカムスライダー２２のカム溝２２ｂに係合している。これにより、トラバースシャーシ２４はカムスライダー２２の移動によってチャッキング位置とアンチャッキング位置との間で昇降される。
【００４５】
ガイドシャフト２５は、例えば金属棒であり、その前端付近と後端付近とがトラバースシャーシ２４に固定され、ＯＰＵを挿通して摺動可能に保持している。
【００４６】
ターンテーブル２６は、光ディスクを載置した状態で上昇することで、クランパーとによって光ディスクを挟持する部材であり、スピンドルモーター２の回転軸に固定されている。
【００４７】
第１ラック２７は、光ピックアップの右側に配置してＯＰＵの筐体に取り付けられている。第１ラック２７の右側面にはギア２３１に噛合可能なラック部がガイドシャフト２５と平行に形成されている。これにより、ラック部がギア２３１に噛合すると、駆動モーターの駆動によって第１ラック２７が前後方向に移動する。つまり、ＯＰＵが前後方向に移動する。第１ラック２７は、トレイを駆動するのと同じ駆動モーターによって駆動されるので、トレイの動作に連動して光ピックアップを移動させる。
【００４８】
また、第１ラック２７は凸部２７ａを有する。凸部２７ａは、第１ラック２７の前側（カムスライダー２２側）先端部分から下方向（トラバースシャーシ２４の下降方向）へ突出している。本実施形態では第１ラック２７の前端に形成された円柱状の下向きの突起である。凸部２７ａは傾斜部２２ｄの前側面２２ｄ1に係合でき、係合が外れない程度の長さがあればよい。
【００４９】
このように、凸部２７ａが下方へ突出することで、それに対応する溝部２２ｃがカムスライダー２２の他の上面から突出することがなく面一になるので、カムスライダー２２を薄型化でき、光ディスク装置１の薄型化に繋がる。なお、凸部２７ａは逆に上方向へ突出していてもよい。この場合は溝部２２ｃ及び傾斜部２２ｄも上下逆向きに形成する。
【００５０】
次に、上記の構成の光ディスク装置１の動作について説明する。図９〜１２は第１ラック２７の移動途中のドライブ装置の要部構成の斜視図である。ここでは、トラバースシャーシ２４の揺動に合わせて、凸部２７ａが傾斜部２２ｄに案内される動作について詳しく説明する。
【００５１】
大まかな動作としては、凸部２７ａが溝部２２ｃに係合した後、トラバースシャーシ２４の下降に合わせて凸部２７ａが傾斜部２２ｄに案内されて下降する。また逆に、トラバースシャーシ２４の上昇に合わせて凸部２７ａが傾斜部２２ｄに案内されて上昇した後、凸部２７ａが溝部２２ｃに係合する。
【００５２】
次に、より具体的に説明する。トレイが収納位置にあり、ターンテーブル２６に光ディスクがチャッキングされているときに、駆動モーターからの駆動力がギアを介して第１ラック２７に伝達されると、光ピックアップはトレイの開口内を光ディスクの径方向に移動することでトレイに干渉することなく最前側まで移動する。
【００５３】
このトラバースシャーシ２４がチャッキング位置にある状態で、駆動モーターの駆動力によって第１ラック２７がさらに前方へ移動する（図９参照）。これにより、凸部２７ａが溝部２２ｃに係合し、凸部２７ａが溝部２２ｃに沿って移動する（案内される）（図１０参照）。このとき凸部２７ａによって溝部２２ｃが押されて、カムスライダー２２が移動を開始する。それとともに、第１ラック２７が駆動力伝達歯車機構２３から外れ、第２ラック２２ａが駆動力伝達歯車機構２３のギア２３４に噛合するきっかけとなる。
【００５４】
そして、カムスライダー２２の移動開始によりカムスライダー２２に駆動力が伝達されてカムスライダー２２の移動が継続される。これにより、トラバースシャーシ２４が下降するとともに、凸部２７ａが傾斜部２２ｄに沿って移動して（案内されて）下降し、水平部２２ｅに沿って移動して停止する（図１１参照）。一方、トレイはカムスライダー２２が停止する直前に排出を開始され、排出位置に達すると停止する。
【００５５】
また逆に、トレイが排出位置にあるとき、駆動力伝達歯車機構２３においては、トレイの第３ラックとギア２３３が噛合しており、カムスライダー２２の第２ラック２２ａとギア２３４、及びＯＰＵの第１ラック２７とギア２３１は噛合していない。また、カムスライダー２２は左側で停止しており、トラバースアッシー２１は下がった状態（アンチャッキング位置）にある。また、ＯＰＵは最前側で停止している。
【００５６】
この状態でユーザーによりトレイに光ディスクが載置され、トレイ開閉釦（不図示）が押下されると、駆動モーターが駆動し、駆動力伝達歯車機構２３と繋がった状態にあるトレイが収納方向に移動する。
【００５７】
そして、トレイが収納位置に達する直前に、トレイの一部によってカムスライダー２２が右方向へ押され、第２ラック２２ａがギア２３４に噛合し、カムスライダー２２が右方向へ移動し始める（図１２参照）。それに連動して、トラバースアッシー２１が上昇し始め、凸部２７ａが傾斜部２２ｄに案内されて上昇し始める（図１１参照）。
【００５８】
トレイが収納位置に達すると、トレイの第３ラックとギア２３３との噛合が外れる。その後、トラバースアッシー２１がチャッキング位置に達すると、凸部２７ａが溝部２２ｃに係合する（図１０参照）。
【００５９】
その後、溝部２２ｃに沿って（係合して）凸部２７ａが移動する（案内される）ことで、第１ラック２７が後方へ押され（図９参照）、第１ラック２７とギア２３１とが噛合し、ＯＰＵが後方へ移動し始める。それとともに、カムスライダー２２の第２ラック２２ａとギア２３４との噛合が外れ、カムスライダー２２は右側で停止する。そして、ＯＰＵが所定位置に達すると、駆動モーターが停止し、記録・再生動作に移行する。
【００６０】
このように、上記の実施形態は、トラバースシャーシの昇降途中に光ピックアップのラックがカムスライダーとトラバースシャーシとの間で受け渡される構造ではない。すなわち、上記の実施形態によれば、トラバースシャーシ２４の昇降途中にはずっと光ピックアップの第１ラック２７がカムスライダー２２の傾斜部２２ｄ上にある構造となっている。したがって、トラバースシャーシ２４の昇降動作が安定する。
【００６１】
なお、上記の実施形態では、光ディスク装置を横置き（水平姿勢）に設置した状態について説明したが、本発明の光ディスク装置は縦置きに設置することもできる。
【００６２】
また、上記の実施形態では、光ディスク装置の一形態としてトレイ方式を例に説明したが、本発明はスロットイン方式など、他の方式の光ディスク装置にも適用できる。また、上述した各形態は可能な範囲で組み合わせて実施することもできる。
【００６３】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００６４】
１  光ディスク装置
４  光ピックアップユニット
２２  カムスライダー
２２ａ  第２ラック
２２ｂ  カム溝
２２ｂ3  斜めの溝
２２ｃ  溝部
２２ｄ  傾斜部
２３  駆動力伝達歯車機構
２４  トラバースシャーシ
２７  第１ラック
２７ａ  凸部
【図１】
2014191843.tif 000003
【図２】
2014191843.tif 000004
【図３】
2014191843.tif 000005
【図４】
2014191843.tif 000006
【図５】
2014191843.tif 000007
【図６】
2014191843.tif 000008
【図７】
2014191843.tif 000009
【図８】
2014191843.tif 000010
【図９】
2014191843.tif 000011
【図１０】
2014191843.tif 000012
【図１１】
2014191843.tif 000013
【図１２】
2014191843.tif 000014